(57)【要約】【課題】高膨張泡発生装置は、必要な発泡倍率を得るためには、ある程度の吸引長さ、すなわち筐体の長さが必要であるが、倉庫などの壁面や天井に設けている場合、その分建物の内部か外部に大きく突出するため、建物の美観を損なう問題がある。【解決手段】  高膨張泡発生装置１００は、空気を通過させる筒体と、上記筒体の空気吸引側１０２にノズルＮを備えて配設されたヘッダーＨと、上記筒体の空気出口側１０３に設けられた発泡用ネット１０４とを有する高膨張泡発生装置において、上記筒体を伸縮可能に構成し、平常時に筒体は短縮して建物の壁面部Ｋへ収納され、必要なときに筒体の伸縮体１０５が張り出して泡の発生装置として機能する。【選択図】  図１
2007190167.tif 000002
【特許請求の範囲】
【請求項１】
空気を通過させる筒体と、上記筒体の空気吸引側にノズルを備えて配設されたヘッダーと、上記筒体の空気出口側に設けられた発泡用ネットとを有する高膨張泡発生装置において、
上記筒体を伸縮可能に構成することを特徴とする高膨張泡発生装置。
【請求項２】
上記筒体は、ヘッダーを備えた本体とこの本体に接続された伸縮体とで構成され、上記伸縮体を伸縮させる伸縮装置を上記本体に設けることを特徴とする請求項１記載の高膨張泡発生装置。
【請求項３】
上記筒体を短縮状態の保持と解除ができる短縮保持手段を備え、上記筒体の伸長方向を真下に向けることを特徴とする請求項１または２記載の高膨張泡発生装置。
【発明の詳細な説明】
【技術分野】
【０００１】
本発明は、立体倉庫や危険物倉庫等に設置されている高膨張泡消火設備に関するものである。
【背景技術】
【０００２】
近年、倉庫は、土地の有効利用のため、機械式によるいわゆるラック式の倉庫が増えている。これらの倉庫は、複数列の荷棚を高層化することにより敷地および内部空間を有効に利用することを可能にしている。このラック式倉庫では、各高層荷棚の列間に荷役装置が設けられているが、この荷役装置は遠隔制御装置により運転され、高層荷棚の列間を走行し、かつ昇降しながら移動して荷物の搬出入を行っている。従って、省力化、自動化された倉庫であり、在庫品の管理も簡単に行える。しかし、これらの倉庫は通常１５〜２０ｍ程度の高さに構成され、また各荷棚の構成部材や収納された荷物が影になるため、建物においては消火設備として一般に行われているように、スプリンクラ消火設備を単に天井面に設けるだけでは到底有効な消火作用を得られない。そこで、従来は、高膨張の泡を堆積させて、火災を埋めようとする消火方法が採用されている。また、石油製品等危険物の貯蔵施設も、高膨張泡消火設備を設置している。
この高膨張泡発生装置の構造は、図３および図４に示すように、空気を通過させる筐体の本体１１と、この本体１１の空気吸引側入り口の近くに配設されたノズルＮを備えたヘッダーＨと、本体１１の空気出口側に設けられた発泡用ネット１３とで構成されている。ヘッダーＨに予め泡混合装置で水と泡原液消火剤が混合され泡水溶液が供給され、ノズルＮはこの泡水溶液を円錐状に噴霧し発泡用ネットに衝突させて多量の泡を発生させる。（例えば、特許文献１）。
【特許文献１】特開平５−１４６５２３号公報
【発明の開示】
【発明が解決しようとする課題】
【０００３】
上記のような高膨張泡発生装置は、必要な発泡倍率をえるためには、ある程度の吸引長さ、すなわち筐体の長さが必要である。特に大型の高膨張泡発生装置の場合、ノズル先端から発泡ネットまでの長さとして１〜２ｍ必要なので、従来ラック式倉庫等の壁面部Ｋや天井に設けていたが、その分建物の外部（図３）または内部（図４）に大きく突出するため、建物の美観を損なう問題がある。
【課題を解決するための手段】
【０００４】
本発明は、上記の課題を解決するためになされたもので、空気を通過させる筒体と、上記筒体の空気吸引側にノズルを備えて配設されたヘッダーと、上記筒体の空気出口側に設けられた発泡用ネットとを有する高膨張泡発生装置において、上記筒体を伸縮可能に構成することを特徴とする。
【０００５】
また、上記筒体は、ヘッダーを備えた本体とこの本体に接続された伸縮体とで構成され、上記伸縮体を伸縮させる伸縮装置を上記本体に設けることを特徴とする。
【０００６】
また、上記筒体を短縮状態の保持と解除ができる短縮保持手段を備え、上記筒体の伸長方向を真下に向けることを特徴とする。
【発明の効果】
【０００７】
本発明によれば、空気を通過させる筒体と、上記筒体の空気吸引側にノズルを備えて配設されたヘッダーと、上記筒体の空気出口側に設けられた発泡用ネットとを有する高膨張泡発生装置において、上記筒体を伸縮可能としておけば、設置時や運搬時には縮めることができ、コンパクトで省スペースとなり、さらに建物内外の美観を損なうことはない。
また、上記筒体は、ヘッダーを備えた本体とこの本体に接続された伸縮体とで構成され、上記伸縮体を伸縮させる伸縮装置を上記本体に設けることで、泡発生時に伸縮装置により筒体が伸長して所定の発泡倍率が得られ、所期の消火性能を発揮することができる。また消火後には伸縮装置により短縮して壁面部へ収納され、建物の美観を損なわない状態に戻り、復旧も容易である。
また、上記筒体を短縮状態の保持と解除ができる短縮保持手段を備え、上記筒体の伸長方向を真下に向けることで、筒体を伸長させる際には短縮保持手段を解除すれば、筒体は自重で下がるので、伸長の動力機構が不要で、装置が簡単となり、部品が少ないだけ故障しにくい高膨張泡発生装置が得られる。
【発明を実施するための最良の形態】
【０００８】
この発明を実施するための実施形態を図１および図２に示し、以下にその高膨張泡発生装置の構成及び作動の手順を簡単に説明する。
【０００９】
実施形態１
図１は本発明に関わる高膨張泡発生装置が短縮している様子である。この高膨張泡発生装置１００は、筒体状の本体１０１と、外気を吸引する空気吸引側１０２と、空気出口側１０３と、空気出口側１０３に設けている発泡用ネット１０４と、本体１０１の伸縮体１０５と、該伸縮体を伸縮せしめる伸縮装置１０６と、で構成されている。また、本体１０１内部の空気吸引側１０２には、図示しない泡水溶液配管と連結するヘッダーＨと、ヘッダーＨに配設され、泡水溶液を噴射するノズルＮを複数設けている。伸縮体１０５は、例えばジャバラような伸縮自在の構造のものであればよく、また、伸縮装置１０６は、例えば複数異なる直径の中空の棒で構成され、平常時は短縮され、ジャバラを張り出させるときにはこれらの棒を電気またはガスの圧力で伸長させればいい。この高膨張泡発生装置１００を建物に取付ける際、本体１０１の空気吸引側１０２を屋外側Ｋ２、空気出口側１０３を屋内側Ｋ１に向けて、壁Ｋ（または天井）を貫設するようにする。
【００１０】
図２は高膨張泡発生装置１００が伸長している状態を表している。図に示したように、伸縮装置１０６の作動により、伸縮体１０５が壁面部Ｋから張り出している。
【００１１】
ただしここで、高膨張泡発生装置１００が建物の壁面部Ｋを貫通することを記載しているが、それに限らず、建物の内部空気を利用して消火する場合、高膨張泡発生装置１００を屋内に設置してもよい。
【００１２】
以下、図１および図２の構成につき、高膨張泡発生装置１００が作動する手順を簡単に説明する。
【００１３】
平常時、高膨張泡発生装置１００は図１のように壁面部Ｋへコンパクトに収納されている。コンパクトに収納されているため、建物の壁面部Ｋに大きく突出することなく、建物の美観を損なうことがない。火災が発生するとき、図示しない制御装置が高膨張泡発生装置１００を起動し、ノズルＮから泡水溶液を放射するようにしている。この場合、伸縮装置１０６は例えば電気信号で伸長され、その連動で伸縮体１０５が張り出されて、本体１０１は所定の長さになり、すなわち所定の空間を本体１０１が確保している（図２）。そうすると、ノズルＮから放射された泡水溶液が発泡用ネット１０４と衝突する際に、十分に空気と混ぜることができ、所定の高膨張泡を生産することができる。
【００１４】
ここで、伸縮装置１０６は電気的な信号で起動することと記載したが、それに限らず、例えば泡水溶液の圧力や消火用水の圧力等で起動してもよい。
【００１５】
復旧の場合、伸縮装置１０６に短縮信号を送り、伸縮装置１０６の収縮につれ伸縮体１０１が壁面部Ｋへ収縮され、コンパクトに収納することができるため、建物の美観を損なうことはない。
さらに、高膨張泡発生装置１００を天井に取付けるときに、空気出口側１０３を真下に向けば、伸縮装置１０６が図示しない短縮状態をロックするスイッチを解除すれば、伸縮装置１０６が自重で下がることができ、そうすると伸縮体１０５の伸長用の動力は不要となり、装置が簡単となる。
このようにして、上記の実施形態における高膨張泡発生装置１００は、空気を通過させる筒体と、上記筒体の空気吸引側１０２にノズルＮを備えて配設されたヘッダーＨと、上記筒体の空気出口側１０３に設けられた発泡用ネット１０４とからなる高膨張泡発生装置で、上記筒体は伸縮可能に構成され、平常時に筒体が短縮して建物の美観を損なわれないように壁面部Ｋへ収納され、必要なときに筒体の伸縮体１０５が張り出して泡の発生装置として機能する。
【００１６】
なお、上記筒体を短縮状態の保持と解除ができる短縮保持手段を備え、上記筒体の伸長方向を真下に向ける高膨張泡発生装置であるため、筒体は自重で下がって伸長するので、伸長の動力機構は不要で泡発生装置が簡単となり部品が少ないだけ故障しにくいという効果を奏することができる。
【図面の簡単な説明】
【００１７】
【図１】実施形態１に係わる高膨張泡発生装置１００が短縮した状態である
【図２】実施形態１に係わる高膨張泡発生装置１００が伸長した状態である
【図３】従来の高膨張泡発生装置図
【図４】従来の高膨張泡発生装置図
【符号の説明】
【００１８】
１００      高膨張泡発生装置
１０１      本体
１０２      空気吸引側
１０３      空気出口側
１０４      発泡用ネット
１０５      伸縮体
１０６      伸縮装置
Ｈ          ヘッダー
Ｎ          ノズル
Ｋ          壁面部
Ｋ１        屋内側
Ｋ２        屋外側
【図１】
2007190167.tif 000003
【図２】
2007190167.tif 000004
【図３】
2007190167.tif 000005
【図４】
2007190167.tif 000006